(57)【要約】【課題】演出に動きがあるものの、慎ましやかな葬儀の雰囲気を守りつつ、参列者に故人を偲ばせるような幻想的な雰囲気を与えることができる葬儀の演出方法を提供する。【解決手段】本発明の演出方法は、葬儀の際の祭壇上、または祭壇付近で演出装置を用いて行われる。この演出方法は、発光液を溜める上部貯留槽２１から祭壇に向かって左右方向に沿って所定間隔ごとに玉鎖２２を吊り下げ、発光液を玉鎖２２の上部から流すことで、発光液の連続的な流れに偏りが発生する。この発光液の偏りにより流れの塊ができる。参列者には、この塊が発光部に見え、発光液が下方へ流れることで、発光部が下方に向かって連続的に移動するように見えるので、祭壇上または祭壇付近で動きのある演出を行うことができる。【選択図】図１
2012191974.tif 000002
【特許請求の範囲】
【請求項１】
葬儀の際の祭壇上、または祭壇付近で行われる演出方法において、
前記祭壇に向かって左右方向に沿って所定間隔ごとに複数の発光部を、上下方向に沿って移動させることを特徴とする葬儀の演出方法。
【請求項２】
所定間隔ごとに配置された玉鎖に発光液を流して、発光液によりできる流れの塊を前記発光部として移動させる請求項１記載の葬儀の演出方法。
【請求項３】
前記玉鎖に発光液を流し込む上部貯留槽の上面を開放して、発光液をライトアップ照明として発光させる請求項２記載の葬儀の演出方法。
【請求項４】
上下方向に沿って列状に配置された発光ダイオードであって、左右方向に沿って所定間隔ごとに並べられた発光ダイオードを上下方向に沿って順次点灯させることで、発光した発光ダイオードを前記発光部として移動させる請求項１記載の葬儀の演出方法。
【発明の詳細な説明】
【技術分野】
【０００１】
本発明は、葬儀の際に祭壇で行われる葬儀の演出方法に関するものである。
【背景技術】
【０００２】
葬儀における演出としては、特許文献１〜３に記載されたものが知られている。
特許文献１には、第１端末からサーバにアップロードされた遺影とスナップ写真や動画などのデジタルデータ、文字情報などの被処理データを、第２端末によりダウンロードし処理した後、再度、サーバにアップロードし、処理済データを葬儀会場で表示すると共に、処理済データに基づいて遺影や会葬礼状等を印刷したり、更に、ＤＶＤやアルバム等を作成して参列者に配布したりすることにより、葬祭をより効果的に演出するデジタル遺影表示システムおよびデジタル遺影を利用した葬祭演出方法が記載されている。
【０００３】
特許文献２には、葬儀の雰囲気を昂揚させるポジフィルムにより構成された画面に光線等を照射または透過させて、会場に張り巡らされる幕の部分、床の一部または全体、あるいは天井の一部または全体に、葬儀の背景とする儀式又は式典の演出用具が記載されている。
【０００４】
特許文献３には、オーロライメージが描き出されている画像パネル部を葬祭壇等の背面に配置し、このオーロライメージに対して星雲等の光パターンが静かに移動する状態で投影する光源部を設けることにより、葬儀会場で故人を追悼する上での厳粛な雰囲気を効果的に演出できるようにした葬祭用オーロライメージの表示装置が記載されている。
【先行技術文献】
【特許文献】
【０００５】
【特許文献１】特開２００６−２８８６６０号公報
【特許文献２】特開平１０−２０１６０４号公報
【特許文献３】特開２００２−２２３９３２号公報
【発明の概要】
【発明が解決しようとする課題】
【０００６】
しかし、特許文献１に記載のデジタル遺影を利用した葬祭演出方法では、遺影の画像を投影するものなので、幻想的な雰囲気を醸し出すような演出方法ではない。
また、特許文献２に記載の儀式又は式典の演出用具では、会場に設置したパネルにポジティブフィルムを背景として投影するだけでは動きがないため、演出効果が弱いものと思われる。
【０００７】
更に、特許文献３に記載の葬祭用オーロライメージの表示装置では、オーロライメージをアクリルラッカ等の艶のある白色塗料を使用してエアーガンなどの塗装手段で平面パネルに描いたものであるため、動きがあるものではない。また、このオーロライメージを照らす光学的エフェクト部は、北極星などの恒星をイメージした光通過パターンや複数の星の集団をイメージした光通過パターン、星座をイメージした光通過パターン、多数の星が集まった星雲をイメージした光通過パターンを回転させて各イメージを平面パネルに投光するものなので、動きがあるといっても、オーロライメージ上を次々と光通過パターンが変わるだけである。
【０００８】
そこで本発明は、演出に動きがあるものの、慎ましやかな葬儀の雰囲気を守りつつ、参列者に故人を偲ばせるような幻想的な雰囲気を与えることができる葬儀の演出方法を提供することを目的とする。
【課題を解決するための手段】
【０００９】
本発明の葬儀の演出方法は、葬儀の際の祭壇上、または祭壇付近で行われる演出方法において、前記祭壇に向かって左右方向に沿って所定間隔ごとに複数の発光部を、上下方向に沿って移動させることを特徴とする。
葬儀の際の祭壇上、または祭壇付近で発光部を移動させる演出である。発光部は、左右方向に沿って所定間隔ごとにあり、これを上下方向に沿って移動させる。このようにして発光部が祭壇上または祭壇付近で移動することで、動きのある演出とすることができる。また、動きのある演出で参列者の目を引くが、発光部を上下方向に移動するだけなので、慎ましやかな葬儀の雰囲気を壊すことなく、かつ幻想的な雰囲気を醸成することができる。
【００１０】
所定間隔ごとに配置された玉鎖（ボールチェーン）に発光液を流して、発光液によりできる流れの塊を前記発光部として移動させるのが望ましい。玉鎖に発光液を流すと、玉鎖を形成する球体部と、球体部を繋ぐ球体部より直径の小さい連結部とにより、発光液の不連続な流れの偏りが発生する。この偏りにより発光液の流れの塊ができる。参列者には、この塊が発光部に見え、発光液が下方へ流れることで、発光部が下方に向かって連続的に移動するように見える。従って、祭壇上または祭壇付近で発光部が移動することで、参列者に興味を抱かせることができる。
【００１１】
前記玉鎖に発光液を流し込む上部貯留槽の上面を開放して、発光液をライトアップ照明として発光させるのが望ましい。上部貯留槽の上面が開放されていると、発光液からの光が上方へ向かって広がるので、ライトアップ照明としての演出効果を得ることができる。
【００１２】
上下方向に沿って列状に配置された発光ダイオードであって、左右方向に沿って所定間隔ごとに並べられた発光ダイオードを上下方向に沿って順次点灯させることで、発光した発光ダイオードを前記発光部として移動させるのが望ましい。
発光ダイオードが上下方向に沿って列状に配置され、この列状の発光ダイオードが左右方向に沿って所定間隔ごとに並べられている。この発光ダイオードを順次点灯させることにより、発光ダイオードの発光が発光部として下方へ連続的に移動するように見える。
【発明の効果】
【００１３】
本発明の葬儀の演出方法によれば、発光部が祭壇上または祭壇付近で発光部を上下方向に移動することで、動きのある演出とすることができると共に、慎ましやかな葬儀の雰囲気を壊すことなく、かつ幻想的な雰囲気を醸成することができる。従って、本発明は、演出に動きがあるものの、慎ましやかな葬儀の雰囲気を守りつつ、参列者に故人を偲ばせるような幻想的な雰囲気を与えることができる。
【図面の簡単な説明】
【００１４】
【図１】本発明の実施の形態１に係る演出方法に用いられる祭壇に設置された演出装置を示す正面図である。
【図２】図１に示す演出装置の側面図である。
【図３】図１に示す演出装置の平面図である。
【図４】図１に示す演出装置の上部貯留槽を示す垂直断面図と一部拡大図である。
【図５】図１に示す演出装置のホッパ部を示す垂直断面図である。
【図６】図１に示す演出装置を循環する発光液を説明するための図である。
【図７】本発明の実施の形態１の第１変形例に係る演出装置を示す正面図である。
【図８】本発明の実施の形態１の第２変形例に係る演出装置を示す図であり、（Ａ）は正面図、（Ｂ）は側面図である。
【図９】本発明の実施の形態２に係る演出方法に用いられる祭壇に設置された演出装置を示す正面図である。
【図１０】図９に示す演出装置の側面図である。
【図１１】図９に示す演出装置の平面図である。
【図１２】図９に示す演出装置を循環する水を説明するための図である。
【図１３】発光ダイオードが実装された基板を説明するための図である。
【図１４】（Ａ）から（Ｄ）は発光ダイオードを順次点灯させて移動させる状態を説明するためのタイムチャートである。
【発明を実施するための形態】
【００１５】
本発明の実施の形態に係る演出方法について、まず発光液を使用した演出方法について説明する。
（実施の形態１）
本実施の形態１に係る演出方法は、図１から図３に示す演出装置１により発光液を使用して光の流れで葬儀を演出する方法である。
【００１６】
図１から図３に示す演出装置１は、発光ユニット２と、発光ユニット２との間で発光液を循環させる制御ユニット３と、ベースユニット４とを備えている。発光ユニット２は、遺影Ｓの下方に位置する大型の第１の発光ユニット２ａと、第１の発光ユニット２ａの上方にあって、遺影Ｓを間に位置させた２台の小型の第２の発光ユニット２ｂとから構成されている。
第１の発光ユニット２ａと２台の第２の発光ユニット２ｂとは長さが異なるだけで基本構成は同じであるため、第１の発光ユニット２ａを説明することで、第２の発光ユニット２ｂの説明は省略する。
【００１７】
第１の発光ユニット２ａは、発光液を溜めるための上部貯留槽２１と、上部貯留槽２１から吊り下げられた玉鎖２２と、玉鎖２２の下方に配置されたホッパ２３と、鏡２４と、前面パネル２５とを備えている。
【００１８】
図４に示すように、上部貯留槽２１は、槽本体２１１の上面が開放された長尺状の容器である。槽本体２１１の前面板２１１ａと後面板２１１ｂの上部は、塵埃などの侵入を抑制するため、上方に向かうに従って、徐々に間隔が狭くなるように形成されている。槽本体２１１には、棒状部材２１２の両端部を担持するための略Ｖ字状の切欠が形成された支持部材２１３が設けられている。玉鎖２２は、この棒状部材２１２に所定間隔ごとに吊り下げることで、上下方向に沿って配置されている。槽本体２１１の底面板２１１ｃには、玉鎖２２を挿通させつつ、発光液を玉鎖２２に垂らす貫通孔２１４が玉鎖２２の吊り下げ間隔に合わせて設けられている。また、槽本体２１１には、制御ユニット３からの発光液が供給されるエルボ管２１５が接続されている。貫通孔２１４の直径は、玉鎖２２が十分に通過できる程度に大きく、かつ発光液が塊になりながら流れ落ちるような適度な孔径に調整されている。
玉鎖２２は、中空の球体部２２１と、拡径した両端が球体部２２１に回動自在に収納した球体部２２１同士を繋ぐ棒状の連結部２２２とから線状体として形成されたものである。本実施の形態では、直径が約１．５ｍｍの球体部２２１を有する玉鎖２２を使用している。
【００１９】
図５に示すように、ホッパ２３は、玉鎖２２を流れる発光液を受けるためのもので、ホッパ本体２３１の上面が開放された長尺状の容器である。ホッパ本体２３１の底面の一部には、溜まった発光液を回収するために、発光液を排出するための排出口２３２が設けられている。排出口２３２には、発光液に混入した大粒のゴミが排出されないように、ステンレス網２３３が設けられている。
【００２０】
図１および図２に示すように、鏡２４は、吊り下げられている玉鎖２２の後ろ側に配置され、玉鎖２２を流れる発光液からの光を参列者側へ反射する反射手段として機能するものである。前面パネル２５は、制御ユニット３の前面に配置され、制御ユニット３の各部が参列者から見えないようにするためのカバー板である。
【００２１】
次に、制御ユニット３について、図面に基づいて説明する。
制御ユニット３は、無線や有線による指示により発光ユニット２との間で発光液を循環されるものである。制御ユニット３は、溶液セット部３１と、送液部３２と、制御部３３と、戻り管３４とを備えている。
【００２２】
溶液セット部３１は、第１の発光ユニット２ａ用と、第２の発光ユニット２ｂ用との２台を備えているが、発光液の容量が異なるだけで構成は同じである。
溶液セット部３１は、発光原液と発光反応液とを混合させて発光液とするための循環用貯留槽３１１と、発光原液が貯留される第１ボトルＢ１と発光反応液が貯留される第２ボトルＢ２とを保持する保持部３１２と、ギヤを介して保持部３１２を回転させて反転させるモータ３１３とを備えている。
【００２３】
循環用貯留槽３１１は、ステンレス製で直方体状に形成された上面が開放した容器である。保持部３１２は、第１ボトルＢ１および第２ボトルＢ２を担持すると共に、第１ボトルＢ１および第２ボトルＢ２の首部を固定する部材（図示せず）により第１ボトルＢ１および第２ボトルＢ２を固定した状態で保持している。
第１ボトルＢ１には、発光原液が貯留される。発光原液は、蛍光物質、シュウ酸エステル、染料などを溶媒に溶かした蛍光液を用いることができる。また、第２ボトルＢ２には、発光反応液が貯留される。発光反応液としては、過酸化水素、サリチル酸ナトリウムなどを溶媒に溶かした酸化液を用いることができる。
【００２４】
発光原液と発光反応液とを混合することで発光する発光液は、様々な色のものが準備可能である。一例として、第１の発光ユニット２ａ用の発光液を緑色とし、第２の発光ユニット２ｂ用の発光液を紫としたり、第１の発光ユニット２ａ用の発光液を青色とし、第２の発光ユニット２ｂ用の発光液をピンク色としたりすることができる。また、葬儀として相応しいものであれば、第１の発光ユニット２ａと第２の発光ユニット２ｂとで、他の色同士を組み合わせることもできる。
【００２５】
本実施の形態では、発光原液および発光反応液を貯留する貯留容器として第１ボトルＢ１，第２ボトルＢ２としているが、発光原液および発光反応液を貯留可能な容量で、かつ耐腐食性がある容器であれば金属製の容器でも他の容器でもよい。しかし、発光原液および発光反応液を入手したときの容器と異なる容器とすると、保持部３１２に保持させる際に発光原液や発光反応液を移し換える必要があるので、発光原液および発光反応液を入手する際に使用されるボトルをそのまま第１ボトルＢ１，第２ボトルＢ２とするのが望ましい。
【００２６】
この保持部３１２の両端には支持軸３１２ａが設けられ、保持部３１２全体が回動自在に支持されている。モータ３１３は、送液部３２からの指示により正転および逆転をするものである。
送液部３２は、第１の発光ユニット２ａへ発光液を液送する第１の発光ユニット２ａ用と、第２の発光ユニット２ｂへ発光液を液送する第２の発光ユニット２ｂ用の２台のポンプ３２１が、防音ボックスに収納されたものである。２台のポンプ３２１は、液送の開始、停止を行うもので、例えばチューブポンプが使用できる。
【００２７】
制御部３３は、図示しないリモコン装置からの無線信号を、アンテナを介して受信し、無線信号に応じた指示を送液部３２へ出力する機能を備えている。本実施の形態では、無線信号により指示を受信しているがリモコン装置と有線により接続されていてもよい。しかし、葬儀場に配線する手間を要する他、見栄えが悪く、リモコン装置を携帯するスタッフも移動しにくくなるので、無線信号により指示を送信する方がよい。
【００２８】
戻り管３４は、図２に示すように、ホッパ２３の排出口２３２（図５参照）から垂れ流れる発光液を受け、循環用貯留槽３１１（図６参照）へ流し込むための配管である（第２の発光ユニット２ｂの戻り管は図示していない）。
図６に示すように、溶液セット部３１の循環用貯留槽３１１とポンプ３２１との間、ポンプ３２１と上部貯留槽２１との間は、耐腐食性が強く弾性を有するシリコンチューブなどで形成された循環用の接続管３５により接続されている。
【００２９】
図１から図３に示すように、ベースユニット４は、第１の発光ユニット２ａと制御ユニット３とが配置されたベース板部４１と、ベース板部４１から立設された第１の発光ユニット２ａと第２発光ユニット２ｂとをそれぞれ支持する支柱部４２と、演出装置１の移動が容易なようにベース板部４１の裏面に設けられた４個の車輪４３とを備えている。
【００３０】
以上のように構成された演出装置を用いた葬儀用の演出方法について図面に説明する。
葬儀に際しては、予め準備しておいた発光原液が入った第１ボトルＢ１と、発光反応液が入った第２ボトルＢ２とを、キャップを取った状態で、保持部３１２に保持させておく。
【００３１】
リモコン装置からの無線信号を受信した制御部３３は、その無線信号が第１の発光ユニット２ａを発光させるものであれば、第１の発光ユニット２ａ用のモータ３１３に保持部３１２を回転させて反転させる指示を出力すると共に、第１の発光ユニット２ａ用のポンプ３２１を始動させる。また、その無線信号が第２の発光ユニット２ｂを発光させるものであれば、第２の発光ユニット２ｂ用のモータ３１３に保持部３１２を回転させて反転させる指示を出力すると共に、第２の発光ユニット２ｂ用のポンプ３２１を始動させる。
【００３２】
制御部３３がモータ３１３を回転させることで、支持軸３１２ａを中心として保持部３１２を１８０°回転させて、第１ボトルＢ１と第２ボトルＢ２とを上下反転させる。そうすることで、第１ボトルＢ１内の発光原液と、第２ボトルＢ２内の発光反応液とが、勢いよく循環用貯留槽３１１内に吐出して混合されることで混合溶液である発光液となる。第１ボトルＢ１と第２ボトルＢ２とを上下反転させることで、一気に撹拌された状態のように混じり合うので、全体的に偏りなく発光させることができる。
【００３３】
次に、制御部３３は、内部のタイマーにより所定時間を計測した後に、モータ３１３を逆転させて、反転した第１ボトルＢ１と第２ボトルＢ２とを正位置まで戻す。この所定時間は、第１ボトルＢ１と第２ボトルＢ２とからそれぞれ排出できる程度の時間とするのが望ましいが、何回かに分けて第１ボトルＢ１と第２ボトルＢ２とからの発光液を追加するように制御するときには、所定時間を短くすることも可能である。
【００３４】
発光し始めた発光液は、ポンプ３２１により吸引されることにより循環用貯留槽３１１から排出される。循環用貯留槽３１１の下部からは混合された発光液の一部が徐々に排出されるが、偏りなく混じり合った発光液は最もよい発光状態で取り出すことができる。従って、最初から最後まで最もよい発光状態の発光液を循環用貯留槽３１１から発光ユニット２へ液送することができる。
【００３５】
発光液は、循環用貯留槽３１１から発光ユニット２の上部貯留槽２１へ向けて接続管３５を通じて上昇する。上昇した発光液は、エルボ管２１５を介して槽本体２１１に溜まる。槽本体２１１に溜まった発光液は、槽本体２１１の底面板２１１ｃから玉鎖２２に伝わりながら流れる。玉鎖２２は棒状部材２１２に吊り下げられているが、この棒状部材２１２は槽本体２１１の上部に設けられた支持部材２１３により支持されている。つまり、玉鎖２２は、槽本体２１１の底面板２１１ｃに設けられた貫通孔２１４に、真上から挿通して垂下している状態である。従って、貫通孔２１４の縁部に、直接玉鎖２２を引っ掛ける場合と比較して、発光液は貫通孔２１４からスムーズに流れ落ち、玉鎖２２の球体部２２１に満遍なく均等に伝わる。
【００３６】
玉鎖２２に発光液を流すと、玉鎖２２を形成する球体部２２１と、球体部２２１を繋ぐ球体部２２１より直径の小さい連結部２２２とにより、発光液の連続的な流れに偏りが発生する。この発光液の偏りにより流れの細い部分と、流れの太い塊の部分ができる。流れの細い部分と塊の部分とは、それぞれ発光しているが、参列者には、この塊が発光部に見え、発光液が下方へ流れることで、発光部が下方に向かって連続的に移動するように見える。従って、祭壇上または祭壇付近で発光部が移動することで、参列者に興味を抱かせることができる。
【００３７】
静かに玉鎖２２を流れる発光液は、玉鎖２２の下端まで移動すると、ホッパ２３へ流れ落ちる。ホッパ２３からは戻り管３４を通じて循環用貯留槽３１１へ戻り、再度、ポンプ３２１により吸い出されることで全体を循環する。
【００３８】
メンテナンスの際には、上部貯留槽２１や玉鎖２２を洗浄する。図４に示すように、玉鎖２２が吊り下げられている棒状部材２１２を支持部材２１３から引き上げることで、所定間隔ごとに配置された玉鎖２２を一度に引き上げることができる。また、棒状部材２１２が槽本体２１１の上部に設けられた支持部材２１３に担持されているので、簡単に棒状部材２１２を取り外しすることができる。
【００３９】
このように本発明の実施の形態１に係る演出装置１を用いた演出方法によれば、玉鎖２２の上部から発光液を流すことで、球体部２２１が高輝度の発光部となって移動することで、動きのある演出とすることができる。また、祭壇上または祭壇付近で発光液の高輝度部分が移動することで、参列者の目を引くが、玉鎖２２に沿って高輝度部分が下方に移動するだけなので、慎ましやかな葬儀の雰囲気を壊すことなく、かつ幻想的な雰囲気を醸成することができる。従って、本実施の形態１に係る葬儀用の演出方法は、演出に動きがあるものの、慎ましやかな葬儀の雰囲気を守りつつ、参列者に故人を偲ばせるような幻想的な雰囲気を与えることができる。
【００４０】
また、上部貯留槽２１は、槽本体２１１の上面が開放されているので、槽本体２１１に溜まった発光液からの光が上方へ向かって広がる。従って、ライトアップ照明としての演出効果を得ることができる。特に、図１に示すように、第１の発光ユニット２ａでは、上方に、遺影Ｓや第２の発光ユニット２ｂが配置されているので、遺影Ｓと共に、第２の発光ユニット２ｂが下方から照らすことができる。第１の発光ユニット２ａによる下方からの光が第２の発光ユニット２ｂの玉鎖２２を流れる発光液に反射して、第２の発光ユニット２ｂの玉鎖２２がより美しく発光したように見えるので、より効果的な演出ができる。また、第１の発光ユニット２ａによる下方からの光が遺影Ｓを近くから照らすので、遺影Ｓにスポットライトを照らしたような効果を得ることができる。
また、発光ユニット２の玉鎖２２の背面側に鏡２４が配置されていることで、玉鎖２２を流れる発光液の光を、鏡２４が参列者に向かって反射するので、輝度の高い発光部を数多く見せる演出を施すことができる。
【００４１】
更に、演出装置１の背面上方から霧発生装置によるドライアイスの霧を流せば、ドライアイスによる霧が演出装置１の上方から前面に広がるようにして参列者の方向へ流れ、玉鎖２２に流れる発光液の光と、上部貯留槽２１から上方へ照射される光とにより、更に幻想的な雰囲気を醸成することができる。
【００４２】
（実施の形態１の第１変形例）
図７に示す実施の形態１の第１変形例に係る演出装置は、２台の発光ユニット２が遺影Ｓを挟んで両側に配置して、ホッパ２３を共通させている。そして、玉鎖２２を図１に示す玉鎖２２より長いものとすることで、玉鎖２２の球体部２２１で光る発光部の移動時間が長くなるので、参列者に発光部を大きな滝のような流れとして見せることができる。
（実施の形態１の第２変形例）
【００４３】
図８（Ａ）および同図（Ｂ）に示す実施の形態１の第２変形例に係る演出装置は、発光ユニット２が、制御ユニット３を収納した台座４４上に置かれた柩Ｃの前に配置されている。そして、発光ユニット２と柩Ｃとの間に鏡２４が配置されていることで、玉鎖２２を流れる発光液の光を、鏡２４が参列者に向かって反射するので、輝度の高い発光部を数多く見せる演出を施すことができる。
従来の葬儀では、祭壇の中央部に配置された柩は、最も注目される位置にありながら、何ら演出もされていない。図８に示す演出装置では、故人を天国へ旅立たせる演出を創出することにより、厳粛な中にもより効果のある演出方法を提供することができる。
【００４４】
（実施の形態２）
本実施の形態２に係る演出方法は、図９から図１２に示す演出装置５により発光ダイオードを使用して光の流れで葬儀を演出する方法である。なお、図９から図１１においては図１から図３と、図１２においては図５と同じ構成のものは同符号を付して説明を省略する。
【００４５】
図９から図１１に示す演出装置５は、発光ダイオードＤが実装された発光ユニット６（第１の発光ユニット６ａ，第２の発光ユニット６ｂ）と、発光ユニット６の発光ダイオードＤを点灯制御する制御ユニット７とを備えている。
【００４６】
演出装置５では、発光ダイオードＤを発光部として機能させているため、実施の形態１に係る演出装置１のような玉鎖２２（図１参照）は設けられていない。また、発光液の代わりに、水を発光ユニット６と制御ユニット７との間で循環させている。
【００４７】
制御ユニット７は、水タンク部７１と、送水部７２と、制御部７３とを備えている。
水タンク部７１は、発光ユニット６と制御ユニット７との間を循環させる水を貯留するタンクである（図１２参照）。従って、水タンク部７１は、図６に示す溶液セット部３１と異なり、発光液を保持する保持部３１２や保持部３１２を回転させるモータ３１３などを備えておらず、循環用貯留槽３１１のみを備えている。
送水部７２は、水を水タンク部７１から吸い出し、発光ユニット６の上部貯留槽２１へ送り出すポンプ７２１を備えている。ポンプ７２１は、水を送水するものであるため、薬品である発光液を送水するポンプ３２１より安価なものが使用できる。
制御部７３は、図示しないリモコン装置からの無線信号を、アンテナを介して受信し、無線信号に応じた指示を送水部７２へ出力する機能を備えている。また、制御部７３は、発光ユニット６の発光ダイオードＤの発光制御を行う。
【００４８】
図９および図１０に示すように、発光ユニット６は、大型の第１の発光ユニット６ａと、第１の発光ユニット６ａの上方に位置する小型の第２の発光ユニット６ｂとから構成されている。第１の発光ユニット６ａと第２の発光ユニット６ｂとは長さが異なるだけで基本構成は同じである。
発光ユニット６には、図１３に示すように、パネル６１に絶縁板である固定板６２を貼り合わせた基板６３に発光ダイオードＤが実装されている。なお、図１３においては、５個の発光ダイオード（ＬＥＤ（１）〜ＬＥＤ（５））のみを図示している。パネル６１は反射手段として機能させるために、白色パネルとしたり、鏡としたりすることができる。
この基板６３には、発光ダイオードＤが上下方向に沿って列状に配置されて発光ダイオード列として実装されていると共に、この発光ダイオード列が左右方向に沿って所定間隔ごとに並べられている（図９参照）。
【００４９】
発光ダイオードＤには、制御部７３からそれぞれ出力線（ＬＥＤ（１）出力〜ＬＥＤ（５）出力）が接続されている。また、全部の発光ダイオードＤには、制御部７３からの共通線（ＣＯＭ）が接続されている。制御部７３は、出力線（ＬＥＤ（１）出力〜ＬＥＤ（５）出力）を有効とすることで、発光ダイオードＤを点灯させる。
また、発光ユニット６は、上部貯留槽２１の貫通孔２１４から水を何も介在させることなく、ホッパ２３へ直接落下させて、発光ダイオードＤからの発光を落下する水で乱反射させている。
【００５０】
発光ダイオードＤは、様々な色のものが準備可能である。一例として、第１の発光ユニット６ａ用の発光ダイオードＤを緑色とし、第２の発光ユニット６ｂ用の発光ダイオードＤを紫としたり、第１の発光ユニット６ａ用の発光ダイオードＤを青色とし、第２の発光ユニット６ｂ用の発光ダイオードＤをピンク色としたりすることができる。また、赤色・緑色・青色を発光する３色発光の発光ダイオードＤであれば、制御部７３により発光色の組み合わせにより他の色も発光させることが可能なので、葬儀として相応しいものであれば、第１の発光ユニット６ａと第２の発光ユニット６ｂとで、他の色同士を組み合わせることもできる。
【００５１】
以上のように構成された本発明の実施の形態２に係る演出装置５の動作について、図面に基づいて説明する。
図１２に示すように、制御部７３がポンプ７２１を始動させることで、水はポンプ７２１により吸引され、水タンク部７１の循環用貯留槽３１１から排出される。水は、循環用貯留槽３１１から発光ユニット６の上部貯留槽２１へ向けて接続管３５を通じて上昇する。上部貯留槽２１からホッパ２３へ向かって流れ落ちた水は、ホッパ２３から循環用貯留槽３１１へ戻る。このようにして演出装置５は、発光液と同様に水を循環させている。
【００５２】
なお、本実施の形態２に係る演出装置５では、第１の発光ユニット６ａ用および第２の発光ユニット６ｂ用に２個の水タンク部７１を設けている。しかし、第１の発光ユニット６ａ用および第２の発光ユニット６ｂ用の水タンク部７１を共通させて、１個の水タンク部７１とすることもできる。その場合には、この１個の水タンク部７１に２台のポンプ７２１を２本の接続管３５を介して接続して、それぞれのポンプ７２１から第１の発光ユニット６ａおよび第２の発光ユニット６ｂへ送水する。また、第１の発光ユニット６ａおよび第２の発光ユニット６ｂからのホッパ２３からの水を、それぞれの戻り管３４から集合させて水タンク部７１へ戻す。このように構成することで、１個の水タンク部７１とすることができので、コスト削減を図ることができる。
【００５３】
制御部７３は、ポンプ７２１の始動・停止を制御するだけなく、発光ダイオードＤの点灯制御を行っている。この点灯制御について、図１４に基づいて説明する。なお、図１４については、５個の発光ダイオードＤ（ＬＥＤ（１）〜（５））の点灯制御を例に説明する。ＬＥＤ（１）〜（５）は基板６３に列状に実装された発光ダイオードＤの一部であり、ＬＥＤ（１）が上側、ＬＥＤ（５）が下側である。
【００５４】
制御部７３による発光ダイオードＤの点灯制御は、例えば、図１４（Ａ）に示すように、隣接した２個の発光ダイオードＤの発光タイミングの一部が重なるようにして２個の発光ダイオードＤを同時に発光させ、同時発光の重なりが終了すると、次の発光ダイオードＤを発光させる。具体的には、まずＬＥＤ（１）を点灯させ、次にＬＥＤ（２）を点灯させることで、ＬＥＤ（１）とＬＥＤ（２）とが同時点灯状態となる。次のタイミングでは、ＬＥＤ（１）を消灯させ、ＬＥＤ（３）を点灯させることで、ＬＥＤ（２）とＬＥＤ（３）とが同時点灯状態となる。このように同時発光のタイミングを、順次、下方の発光ダイオードＤにずらすことで、２個ずつの発光ダイオードＤの発光を、次々と下方へ移動するように点灯させることができる。
【００５５】
また、図１４（Ｂ）に示すように、制御部７３は、２個の発光状態の発光ダイオードＤが次々と上方へ移動するように点灯させている。具体的には、まずＬＥＤ（５）を点灯させ、次にＬＥＤ（４）を点灯させることで、ＬＥＤ（５）とＬＥＤ（４）とが同時点灯状態となる。次のタイミングでは、ＬＥＤ（５）を消灯させ、ＬＥＤ（３）を点灯させることで、ＬＥＤ（４）とＬＥＤ（３）とが同時点灯状態となる。このように同時発光のタイミングを、順次、上方の発光ダイオードＤにずらすことで、２個ずつの発光ダイオードＤの発光を、次々と上方へ移動するように点灯させることができる。
【００５６】
更に、図１４（Ｃ）では、制御部７３が、発光ダイオードＤを１個ずつ点灯させ、順次、下方の発光ダイオードＤへ移動させることで、発光を下方へ移動させている。具体的には、まずＬＥＤ（１）を点灯させ、次にＬＥＤ（１）を消灯させると共に、ＬＥＤ（２）を点灯させる。次のタイミングでは、ＬＥＤ（２）を消灯させると共に、ＬＥＤ（３）を点灯させる。このように、１個の発光状態の発光ダイオードＤを、順次、下方へ移動させることができる。
【００５７】
また、図１４（Ｄ）に示すように、制御部７３は、発光ダイオードＤを１個ずつ点灯させ、順次、上方の発光ダイオードＤへ移動させることで、発光を上方へ移動させている。具体的には、まずＬＥＤ（５）を点灯させ、次にＬＥＤ（５）を消灯させると共に、ＬＥＤ（４）を点灯させる。次のタイミングでは、ＬＥＤ（４）を消灯させると共に、ＬＥＤ（３）を点灯させる。このように、１個の発光状態の発光ダイオードＤを、順次、上方へ移動させることができる。
【００５８】
２個の発光状態の発光ダイオードＤを、順次、下方や上方へ移動したり、１個の発光状態の発光ダイオードＤを、順次、下方や上方へ移動したりするように点灯させることで、発光部として機能する発光ダイオードＤの点灯が、下方へ移動したり、上方へ移動したりすることができる。
このように発光ダイオードＤの点灯を一方向からだけでなく、他方向からも移動させることができる。
【００５９】
なお、本実施の形態２では、発光部の移動として、２個の発光ダイオードＤを同時発光させたり、１個の発光ダイオードＤを発光させたりしているが、３個以上の発光ダイオードＤを同時発光させるようにしてもよい。
【００６０】
本実施の形態２に係る演出装置５を用いた演出方法では、発光ダイオードＤの発光が発光部として上方または下方へ連続的に移動するように見えるので、動きのある演出とすることができる。発光部が祭壇上または祭壇付近で移動することで、参列者の目を引くが、発光ダイオードＤの発光を上下方向に移動するだけなので、慎ましやかな葬儀の雰囲気を壊すことなく、かつ幻想的な雰囲気を醸成することができる。
【産業上の利用可能性】
【００６１】
本発明は、葬儀の際の祭壇上、または祭壇付近で行われる演出方法に好適に用いることができる。
【符号の説明】
【００６２】
１  演出装置
２  発光ユニット
２ａ  第１の発光ユニット
２ｂ  第２の発光ユニット
２１  上部貯留槽
２１１  槽本体
２１１ａ  前面板
２１１ｂ  後面板
２１１ｃ  底面板
２１２  棒状部材
２１３  支持部材
２１４  貫通孔
２１５  エルボ管
２２  玉鎖
２２１  球体部
２２２  連結部
２３  ホッパ
２３１  ホッパ本体
２３２  排出口
２３３  ステンレス網
２４  鏡
２５  前面パネル
３  制御ユニット
３１  溶液セット部
３１１  循環用貯留槽
３１２  保持部
３１２ａ  支持軸
３１３  モータ
３２  送液部
３２１  ポンプ
３３  制御部
３４  戻り管
３５  接続管
４  ベースユニット
４１  ベース板部
４２  支柱部
４３  車輪
４４  台座
５  演出装置
６  発光ユニット
６ａ  第１の発光ユニット
６ｂ  第２の発光ユニット
６１  パネル
６２  固定板
６３  基板
７  制御ユニット
７１  水タンク部
７２  送水部
７２１  ポンプ
７３  制御部
Ｂ１  第１ボトル
Ｂ２  第２ボトル
Ｃ  柩
Ｄ  発光ダイオード
Ｓ  遺影
【図１】
2012191974.tif 000003
【図２】
2012191974.tif 000004
【図３】
2012191974.tif 000005
【図４】
2012191974.tif 000006
【図５】
2012191974.tif 000007
【図６】
2012191974.tif 000008
【図７】
2012191974.tif 000009
【図８】
2012191974.tif 000010
【図９】
2012191974.tif 000011
【図１０】
2012191974.tif 000012
【図１１】
2012191974.tif 000013
【図１２】
2012191974.tif 000014
【図１３】
2012191974.tif 000015
【図１４】
2012191974.tif 000016